(57)【要約】【課題】            本発明が解決しようとする問題点は従来の電子錠にあってはその制御回路やメカニズムに故障が発生してしまった場合、外部からは閂部材（デッドボルト）を操作する手段がなく、専門業者の到着を待つまでの間締め出し状態を余儀なくされてしまうという点である。【解決手段】        電子錠の緊急開錠装置は電子錠本体から出入される閂部材の受け機構に、その閂部材と係合して施錠状態とするロックバーを備え、そのロックバーは屋外からの入力によってスライドあるいは回動して施錠状態を解除するものとしたこととし、前記した電子錠本体は、ドアの屋内側面に固着されたベースプレートに対し、屋内側方向へ枢動する取り付けプレートに固着されていることとする。【選択図】          図２
2006063530.tif 000002
【特許請求の範囲】
【請求項１】
電子錠本体から出入される閂部材の受け機構に、その閂部材と係合して施錠状態とするロックバーを備え、そのロックバーは屋外からの入力によってスライドあるいは回動して施錠状態を解除するものとしたことを特徴とする電子錠の緊急開錠装置。
【請求項２】
前記した受け機構には制御用の電子回路と、その電子回路と電気的に接続された駆動モータと、その駆動モータにより稼動され、前記したロックバーを作動させるギア機構とを備えていることを特徴とする請求項１に記載の電子錠の緊急開錠装置。
【請求項３】
前記した電子回路には先端を屋外側へ導出されるケーブルが接続されており、そのケーブルの先端には少なくとも電力供給用の端子と開錠信号を受ける受光素子が備えられていることを特徴とする請求項２に記載の電子錠の緊急開錠装置。
【請求項４】
前記したロックバーは外側面にラックが形成されて、前記した閂部材を受け入れる切り欠き部に対して架設状態とされ、ガイドボックスに貫通されてスライドするものとなっていることを特徴とする請求項１、請求項２または請求項３に記載の電子錠の緊急開錠装置。
【請求項５】
前記した電子回路には室内電話機を介して作動する中継器からの開錠光信号を受信する受光素子及び無線電波を受けるアンテナが屋内側に向けて電気的に接続されていることを特徴とする請求項１、請求項２、請求項３または請求項４に記載の電子錠の緊急開錠装置。
【請求項６】
前記した電子錠本体は、ドアの屋内側面に固着されたベースプレートに対し、屋内側方向へ枢動する取り付けプレートに固着されていることを特徴とする請求項１、請求項２、請求項３、請求項４または請求項５に記載の電子錠の緊急開錠装置。
【請求項７】
前記したベースプレートと取り付けプレートの枢動ヒンジ部には、取り付けプレートを枢動方向へ附勢するスプリングが備えられていることを特徴とする請求項６に記載の電子錠の緊急開錠装置。
【請求項８】
前記した取り付けプレートの略中央部分には凹所が形成され、その凹所に電子錠本体が固着されていることを特徴とする請求項６または請求項７に記載の電子錠の緊急開錠装置。
【請求項９】
前記した取り付けプレートの遊端側は略直角に屈曲された屈曲片とされ、その屈曲片には少なくとも一以上の係合用透孔が穿設され、その係合用透孔に前記したベースプレートに備えられたロックロッドの先端が出入されることを特徴とする請求項６、請求項７または請求項８に記載の電子錠の緊急開錠装置。
【請求項１０】
前記したロックロッドの外側面にはラックが形成され、そのラックと噛合されるギア機構を駆動モータにより稼動させることを特徴とする請求項９に記載の電子錠の緊急開錠装置。
【請求項１１】
前記したベースプレートには前記した駆動モータを制御し、ロックロッドの位置制御を行なう制御部が搭載されており、この制御部には屋外へ先端を導かれるケーブルを備え、そのケーブルには少なくとも補助電力供給端子と開錠信号を受ける受光素子が備えられていることを特徴とする請求項１０に記載の電子錠の緊急開錠装置。
【請求項１２】
前記した制御部には室内電話機を介して作動する中継器からの信号を受ける受光素子が電気的に接続されていることを特徴とする請求項１１に記載の電子錠の緊急開錠装置。
【発明の詳細な説明】
【技術分野】
【０００１】
本発明は電子錠の緊急開錠装置に関し、特に建造物の出入口や各室の出入口に取り付けられ、無線電波や光を媒体として開錠、施錠の信号を送って閂部材（デッドボルト）を操作するタイプの電子錠の緊急開錠装置に関する。
【背景技術】
【０００２】
一般的に電子錠は鍵を用いて錠のメカニズムを操作する錠鍵装置と異なり、鍵を挿し込むための鍵穴の存在が不要となるため、いわゆるピッキング対策として大きな効果を有し、近時その採用が多くなってきている。
【０００３】
電子錠は一般的な鍵に代えて無線や光によって施錠、開錠のための信号を制御回路へ送り、閂部材（デッドボルト）をギア等の伝動機構やソレノイド等を使用して作動させる。そのため、その駆動源としての電力を内蔵バッテリーや商業交流電源、ソーラーセル（太陽電池充電器）から得なければならい。
【０００４】
また、電子錠は現在、ドアを閉めると自動的にマグネットで吸引されて閂部材（デッドボルト）が作動し、施錠状態とするシステムが多くなっているもので屋内、室内に信号を送るための電子キー（リモートコントローラ）を置き忘れたり、紛失したりした場合、前記制御回路の故障、あるいは内蔵バッテリーの消耗や商業交流電源を利用している場合は停電によっても開錠することができなくなり、締め出し状態となってしまう虞があった。
【０００５】
そこで、本件発明者は図１０として示すような電子錠を開発した。この図１０にあって１は縦方向の一縁を枢支されたスイングタイプのドアを示し、２はドアフレームを示している。このドア１は外開きとして設置されており、その屋内側の上方には取り付け部材３を介して電子錠本体４が固着されたものとなっている。
【０００６】
この電子錠本体４には内蔵バッテリーで駆動されるモータを駆動源として出入する閂部材（デッドボルト）５が設けられており、この閂部材（デッドボルト）５はドアフレーム２に固設された受部材６によって形成される受穴７にその先端を嵌入して施錠状態とされる。
【０００７】
また、図中８は一端を電子錠本体４内の制御回路と接続されているケーブルであり、このケーブル８はドア１とドアフレーム２の隙間を通して屋外側へその先端が導かれ、その先端には市販の９Ｖ乾電池から電力を得るための補助電力端子９ａ、９ｂ及び開錠信号を得るための受光素子１０が備えられている。
【０００８】
上記した構造としたことによって、電子錠本体４に内蔵されたバッテリーが消耗してしまった場合等は十分に対処して閂部材（デッドボルト）を作動させて開錠状態とすることができる。
【０００９】
しかしながら、上記した構造にあっても制御回路やメカニズムに故障が発生してしまった場合等は閂部材（デッドボルト）５を外部から操作することは不可能で、専門業者に依頼する等の対策が必要となってしまい、長時間に亘る締め出し状態となってしまう。
【特許文献１】特願２００４−１０４４６号出願書類
【発明の開示】
【発明が解決しようとする課題】
【００１０】
本発明が解決しようとする問題点は従来の電子錠にあってはその制御回路やメカニズムに故障が発生してしまった場合、外部からは閂部材（デッドボルト）を操作する手段がなく、専門業者の到着を待つまでの間締め出し状態を余儀なくされてしまうという点である。
【課題を解決するための手段】
【００１１】
上記した問題点を解決するために、本発明に係る電子錠の緊急開錠装置は電子錠本体から出入される閂部材の受け機構に、その閂部材と係合して施錠状態とするロックバーを備え、そのロックバーは屋外からの入力によってスライドあるいは回動して施錠状態を解除するものとしたことを特徴とし、前記した受け機構には制御用の電子回路と、その電子回路と電気的に接続された駆動モータと、その駆動モータにより稼動され、前記したロックバーを作動させるギア機構とを備えていることを特徴とし、前記した電子回路には先端を屋外側へ導出されるケーブルが接続されており、そのケーブルの先端には少なくとも電力供給用の端子と開錠信号を受ける受光素子が備えられていることを特徴とし、前記したロックバーは外側面にラックが形成されて、前記した閂部材を受け入れる切り欠き部に対して架設状態とされ、ガイドボックスに貫通されてスライドするものとなっていることを特徴としている。
【００１２】
また、本発明に係る電子錠の緊急開錠装置は前記した電子回路には室内電話機を介して作動する中継器からの開錠光信号を受信する受光素子及び無線電波を受けるアンテナが屋内側に向けて電気的に接続されていることを特徴としている。
【００１３】
さらに、本発明に係る電子錠の緊急開錠装置は前記した電子錠本体は、ドアの屋内側面に固着されたベースプレートに対し、屋内側方向へ枢動する取り付けプレートに固着されていることを特徴とし、前記したベースプレートと取り付けプレートの枢動ヒンジ部には、取り付けプレートを枢動方向へ附勢するスプリングが備えられていることを特徴とし、前記した取り付けプレートの略中央部分には凹所が形成され、その凹所に電子錠本体が固着されていることを特徴としている。
【００１４】
そして、本発明に係る電子錠の緊急開錠装置は前記した取り付けプレートの遊端側は略直角に屈曲された屈曲片とされ、その屈曲片には少なくとも一以上の係合用透孔が穿設され、その係合用透孔に前記したベースプレートに備えられたロックロッドの先端が出入されることを特徴とし、前記したロックロッドの外側面にはラックが形成され、そのラックと噛合されるギア機構を駆動モータにより稼動させることを特徴とし、前記したベースプレートには前記した駆動モータを制御し、ロックロッドの位置制御を行なう制御部が搭載されており、この制御部には屋外へ先端を導かれるケーブルを備え、そのケーブルには少なくとも補助電力供給端子と開錠信号を受ける受光素子が備えられていることを特徴とし、前記した制御部には室内電話機を介して作動する中継器からの信号を受ける受光素子が電気的に接続されていることを特徴としている。
【発明の効果】
【００１５】
本発明に係る電子錠の緊急開錠装置は上記のように構成されている。そのために、緊急時に際して、閂部材（デッドボルト）を強制的に電子錠本体内へ押し込む作業は一切必要なく、特に内開きのドアにあっては受け機構のロックバーを作動させてやるのみでドアを開けることができる。
【００１６】
また、外開きのドアにあっては上記に加えて、電子錠本体を取り付けた取り付けプレートをベースプレートに対して枢動させてやることで閂部材（デッドボルト）による係合状態が解除され、ドアを開けることができる。
【発明を実施するための最良の形態】
【００１７】
図１乃至図９として示す実施例のように構成することで実現した。
【実施例１】
【００１８】
次に、本発明の好ましい実施の例を図１乃至図９を参照して説明する。図１は本発明を外開きドアについて実施した例を示す断面図、図２は同じく受け機構を示す斜視図、図３は同じく内開きドアについて実施した例を示す断面図、図４は同じく電話開錠システムを示すブロック図、図５は同じく複数のドアに対応する場合のブロック図、図６は電子錠本体の取り付け機構を示す斜視図、図７は同じく本発明を実施したドアを屋外から見た場合の部分斜視図、図８はベースプレートに取り付けプレートをセットした状態を示す斜視図、図９は同じく別の例を示す斜視図である。
【００１９】
実施例はまず内開き構成としたドア１ａの場合から説明する。図３にあってドア１ａの屋内側上方には、閂部材（デッドボルト）５を上方に向けて出入自在に備えた電子錠本体４が固着されており、ドアフレーム２には閂部材（デッドボルト）５を受け入れ、施錠状態とする受け機構１１が固設されている。
【００２０】
この受け機構１１は図２に示す構造となっている。受け機構１１は底板１２を有しており、その底板１２の奥方縁から直角に二方に立ち上がった立ち上がり壁１２ａを一体に形成している。底板１２の一部には閂部材（デッドボルト）５が出入する切り欠き１３が形成されている。
【００２１】
底板１２上には直方体としたガイドボックス１４が搭載されており、このガイドボックス１４に形成された透孔を貫通してロックバー１５がスライド可能に備えられている。このロックバー１５の先端は立ち上がり壁１２ａに設けられた透孔１２ｂに嵌入される。ロックバー１５は前記した切り欠き１３と対応し、閂部材（デッドボルト）５が切り欠き１３に入った際の係合材となり施錠状態を構成することとなる。
【００２２】
一方、図中１６は駆動モータを示しており、この駆動モータ１６のモータ軸にはウォームギア１７が取り付けられている。このウォームギア１７はギア１８と噛合されてこのギア１８を回転させることとなる。このギア１８の軸にはピニオン１９が設けられてギア１８と同期回転される。このピニオン１９がロックバー１５の外側面に形成されているラックと噛合されて、ロックバー１５をスライド動させることとなっている。
【００２３】
また、前記した駆動モータ１６は立ち上がり壁１２ａの内面に装着された電子回路２０と電気的に接続されて制御されるようになっている。この電子回路２０にはケーブル２１が接続されており、このケーブル２１はドア１ａとドアフレーム２との隙間を通して、その先端を屋外に導出され、ドアフレーム２の屋外面に例えば両面テープ等の固定材を介して固定される。
【００２４】
ケーブル２１の先端には９Ｖ乾電池２２から電力を受けるための補助電力端子２３ａ、２３ｂが備えられ、また、赤外線信号を受けるための受光素子２４が備えられている。
【００２５】
さらに、前記した電子回路２０には屋内側に向けた受光素子２５も電気的に接続されており、室内電話機を介して作用する中継器からの発信信号も受信することができるようになっている。電子回路２０にはアンテナ６０を装備させて、無線電波によって入力を行なうことも可能としている。
【００２６】
そして、図中２６はケーシングカバーであり、底板１２及び立ち上がり壁１２ａと対応して全体を矩形ボックス状に構成する。このケーシングカバー２６にはロックバー１５の嵌合孔２６ａや受光素子２５の取り付け孔も形成される。なお、２７、２７‥はケーシングカバー２６を取り付けるためのねじ孔を示しており、２８はケーブル２１を通すための切り欠きである。
【００２７】
図３に示す内開きのドア１ａの場合、受け機構１１におけるロックバー１５によって閂部材（デッドボルト）５を係合させたのみの形態であるから、ロックバー１５をスライドさせて係合を解除してやれば、ドア１ａを屋内方向へ押し開いてやることができることとなる。電子錠本体１が故障となった場合９Ｖ乾電池２２を補助電力端子２３ａ、２３ｂに手で接続し、電子キー５２の開錠スイッチ５２ｂを押すと赤外光による開錠暗号信号が受光素子２４に入力され、電子回路２０が起動しロックバー１５がスライドして開きデッドボルト５が切り欠き１３の外へ出ることが可能となりドア１ａを開くことが可能となる。リモコンの発信する電波をアンテナ６０で受けて同等のことができる。
【００２８】
しかしながら、ドア１が外開きの場合、ロックバー１５を外したのみでは閂部材（デッドボルト）５は未だドアフレーム２と係合して開くことはできない。そこで、外開きタイプのドア１の場合には図６として示すような機構が受け機構１１に加えて用いられる。
【００２９】
図中２９はドア１の内面上方にねじ３０、３０‥で固着されるベースプレートを示しており、３１、３１‥はねじ３０、３０‥が挿通されるねじ孔である。このベースプレート２９の下端縁には枢動軸３２がヒンジ３３を介して設けられ取り付けプレート３４が枢動可能に備えられている。電子錠本体４はこの取り付けプレート３４の外表面に固定されている。
【００３０】
前記したヒンジ３３には取り付けプレート３４を常に枢動方向へ附勢する、図示されていない例えば弦巻きばね等が組み付けられている。取り付けプレート３４はベースプレート２９を覆った際に角筒形状として機構部品を収容できるように上下の端縁が各々Ｌ字状に屈曲された構成となっているもので、上方屈曲片３４ａには少なくとも一以上の後述するロックロッドの先端嵌合用の透孔３５、３５が穿設されている。
【００３１】
一方、ベースプレート２９には制御部３６が搭載されており、ロックロッド３７、３７の昇降駆動用モータ３８はこの制御部３６によって制御される。なお、ロックロッド３７、３７の数は取り付けプレート３４における透孔３５、３５‥と合致されることとなる。
【００３２】
昇降駆動用モータ３８のモータ軸にはウォームギア３９が取り付けられており、このウォームギア３９にはギア４０が噛合され、このギア４０を回転させる。このギア４０の軸にはピニオン４１が取り付けられており、このピニオン４１がロックロッド３７の外面に形成されたラック４２と噛合してロックロッド３７を昇降動させることとなる。
【００３３】
また、前記した制御部３６にはケーブル４３が接続されており、このケーブル４３はドア１とドアフレーム２との隙間を通って屋外に導かれ、その先端はドア１の外表面に固着される。このケーブル４３の先端にも９Ｖ乾電池２２によって電力を得るための補助電力端子４４ａ、４４ｂと信号波を受けるための受光素子４５が備えられている。なお、２９ａはケーブル４３を導くためベースプレート２９に形成された切り欠きである。
【００３４】
さらに、図中４６、４６はロックロッド３７のガイドボックスであり、ベースプレート２９に固定され、ロックロッド３７はこのガイドボックス４６の上下に穿設された透孔を貫通して昇降動する。４７はロックロッド３７の下降した時のリミットスイッチ、４８は位置検出センサーである。
【００３５】
また、４９は必要に応じて制御部３６と一体化することもできるデコーダであり、このデコーダ４９には室内電話機を介して作用する中継器からの信号を受ける受光素子５０が電気的に接続されている。そして５１はベースプレート２９あるいは取り付けプレート３４のいずれに取り付けてもよいこととなる取り付けプレート３４の閉塞確認スイッチで、取り付けプレート３４が閉じられ、このスイッチ５１が入力すると、下降していたロックロッド３７、３７は上昇して透孔３５、３５へその上端を嵌入して初期の状態へ復元する。
【００３６】
なお、図中５２は電子キー（リモートコントローラ）を示しており、５２ａは施錠スイッチ、５２ｂは開錠スイッチ、５３は信号波（赤外線）の発光素子を示している。そして、５ａは閂部材（デッドボルト）５に取り付けられ、屋内側から手動で閂部材（デッドボルト）５を操作することのできる手動操作子、４ａはそのガイド用の長孔を示している。外開きスイングドア１の電子錠本体４は故障した場合、受け機構１１のケーブルの補助電力端子に９Ｖ乾電池を押し付けリモコンで開錠信号を送りロックバー１５をスライドさせ、次にケーブル４３の補助電力端子４４ａ、４４ｂに９Ｖ乾電池２２を押し付けリモコンで開錠信号を送りロックロッド３７を下降させスプリングの力で取り付けプレート３４とともに電子錠本体４のデッドボルト５を受け機構１１の切り欠き１３から倒れるように外に出すことによりドア１を開くことができるのである。
【００３７】
さらに、図９として示すように、取り付けプレート３４の表面に凹部５４を形成し、その凹部５４に電子錠本体４を嵌め込むように装備する構成も考えられこの構成とすると、装置全体としての厚味を薄く保つことができ、ドア１に設置した際の外観も良好なものとできる。
【００３８】
そして、前述している電話開錠システムは図４乃至図５として示す構成となっている。図中５５は室内電話機を示しており、５６は回線で接続された中継器である。この中継器５６にはコードナンバー等の入力によって開錠信号となる赤外線を発信する発光素子５７が備えられ、この発光素子５７から受光素子２５、５０等に対して入力がなされる。この場合、途中に障害物があれば光ケーブル等を介在させてもよく、さらには発光素子５７に代えて図示されていない発信アンテナを用い、受光素子２５、５０も受信アンテナとして無線電波を利用することも可能となる。
【００３９】
また、図５として示すように一台の中継器５６からの信号を光ファイバ５９を用い、光分岐器５８で分岐させることで、複数のドア１、１ａあるいは引き戸１ｂ等に装備された電子錠本体４、４もしくは受け機構１１、１１等を操作し、同時に開錠することも可能となり、各電子錠本体４ごとに中継器５６を対応させる必要性はなくなる。
【産業上の利用可能性】
【００４０】
本発明の実施例は上述のように構成されている。本実施例にあって受け機構１１のロックバー１５はスライドする構成としてあるが、これは電子錠本体４の取り付け位置にもよるが、水平方向あるいは上下方向への回動とすることも可能であり、さらに、電子錠本体４を取り付ける取り付けプレート３４がベースプレート２９に対し枢動するものとあるが、これもベースプレート２９に対し、取り付けプレート３４をスライドさせる構成に代替することも可能となる。
【図面の簡単な説明】
【００４１】
【図１】本発明を外開きドアについて実施した例を示す断面図である。
【図２】受け機構を示す斜視図である。
【図３】内開きドアについて実施した例を示す断面図である。
【図４】電話開錠システムを示すブロック図である。
【図５】複数のドアに対応する場合のブロック図である。
【図６】電子錠本体の取り付け機構を示す斜視図である。
【図７】本発明を実施したドアを屋外から見た場合の部分斜視図である。
【図８】ベースプレートに取り付けプレートをセットした状態を示す斜視図である。
【図９】別の例を示す斜視図である。
【図１０】従来例を示す断面図である。
【符号の説明】
【００４２】
１      ドア
１ａ    ドア
１ｂ    引き戸
２      ドアフレーム
３      取り付け部材
４      電子錠本体
４ａ    長孔
５      閂部材（デッドボルト）
５ａ    手動操作子
６      受部材
７      受穴
８      ケーブル
９ａ    補助電力端子
９ｂ    補助電力端子
１０    受光素子
１１    受け機構
１２    底板
１２ａ  立ち上がり壁
１２ｂ  透孔
１３    切り欠き
１４    ガイドボックス
１５    ロックバー
１６    駆動モータ
１７    ウォームギア
１８    ギア
１９    ピニオン
２０    電子回路
２１    ケーブル
２２    ９Ｖ乾電池
２３ａ  補助電力端子
２３ｂ  補助電力端子
２４    受光素子
２５    受光素子
２６    ケーシングカバー
２６ａ  嵌合孔
２７    ねじ孔
２８    切り欠き
２９    ベースプレート
２９ａ  切り欠き
３０    ねじ
３１    ねじ孔
３２    枢動軸
３３    ヒンジ
３４    取り付けプレート
３４ａ  上方屈曲片
３５    透孔
３６    制御部
３７    ロックロッド
３８    昇降駆動用モータ
３９    ウォームギア
４０    ギア
４１    ピニオン
４２    ラック
４３    ケーブル
４４ａ  補助電力端子
４４ｂ  補助電力端子
４５    受光素子
４６    ガイドボックス
４７    リミットスイッチ
４８    センサー
４９    デコーダ
５０    受光素子
５１    スイッチ
５２    電子キー
５２ａ  施錠スイッチ
５２ｂ  開錠スイッチ
５３    発光素子
５４    凹部
５５    室内電話機
５６    中継器
５７    発光素子
５８    光分岐器
５９    光ファイバ
６０    アンテナ
【図１】
2006063530.tif 000003
【図２】
2006063530.tif 000004
【図３】
2006063530.tif 000005
【図４】
2006063530.tif 000006
【図５】
2006063530.tif 000007
【図６】
2006063530.tif 000008
【図７】
2006063530.tif 000009
【図８】
2006063530.tif 000010
【図９】
2006063530.tif 000011
【図１０】
2006063530.tif 000012